Podtech/llm-jp-corpus-v4-ja_patent huggingface dataset:
(57)【要約】【課題】  英語の従来のストレス・アクセント（強勢）とイントネーション（音調）の表記方法は、ピッチの数字（音の高さを表す数字）と上昇・下降・平坦などの矢印であったため、例文を見ただけでは、リズムとイントネーションのイメージが大変つきにくい。さらに、英語のストレス・アクセントの表記も丸印の大小を例文のアルファベットの上記に、表記しており、ストレス・アクセント（強勢）・イントネーション（音調）の関連が同時に理解しにくい。【解決手段】  本発明のイントネーション（音調）曲線符号は、英語および言語のストレス・アクセント（強勢）とイントネーション（音調）を安易に理解でき、イメージをつけやすくする表記方法である。音源を聞きながら、この表記方法を用いた例文を読むと、なおいっそうイメージが膨らみ、ネイティブスピーカーの音調に近づける学習効果が期待できることを特徴とする。【選択図】図１
2008003529.tif 000002
【特許請求の範囲】
【請求項１】
イントネーション（音調）曲線符号は、英語および言語のストレス・アクセント（強勢）とイントネーション（音調）を安易に理解でき、イメージをつけやすくする表記方法である。
この表記方法は、イントネーションの音の高低をあらわす正と負の整数目盛り、単語の音節のストレスの強弱の表示、イントネーションの音の高低をあらわす線で構成されている。
【請求項２】
あらゆる言語に適応される請求項記載の表記方法
【発明の詳細な説明】
【技術分野】
【０００１】  この発明は、英語および言語のストレス・アクセント（強勢）とイントネーション（音調）を同時にかつ安易に理解でき、イメージをつけやすくする表記方法ならびに、符号に関するものである。
【背景技術】
【０００２】  言語における、音の高低の変動の型を音調曲線といい、音調は言語表現上、話者の感情、心理的態度を伝えるものである。英語における音の高さ（ピッチ）は、相対的な４つの段階に通常区別されている。それは、低い方から高い方に向かって、／１／，／２／，／３／，／４／と数字で
2008003529.tif 000003
用いている。
2008003529.tif 000004
または、地形表記用の等高線に似た図式で表されている。
2008003529.tif 000005
これらの表記方法は、イントネーションのイメージがつきにくく読んだだけでは、安易に理解しにくい。【０００３】  英語のストレス・アクセント（強勢）の表記もプロソディ分析の表記では、強弱を丸印の大小を例文のアルファベットの上記に表記しているので、ストレス・アクセント（強勢）とイントネーション（音調）が同時に理解しにくい。
2008003529.tif 000006
【０００４】  上記の、例１），２）の音調曲線、例３）のストレス・アクセント（強勢）表記方法では、専門性が高く、言語学習者、小児などは、楽しく学習することができず、継続学習が困難である。
【発明の開示】
【発明が解決しようとする課題】
【０００５】  英語の従来のストレス・アクセント（強勢）とイントネーション（音調）の表記方法は、ピッチの数字（音の高さを表す数字）と上昇・下降・平坦などの矢印であったため、例文を見ただけでは、リズムとイントネーションのイメージが大変つきにくい。さらに、英語のストレス・アクセントの表記も丸印の大小を例文のアルファベットの上記に、表記しており、ストレス・アクセント（強勢）・イントネーション（音調）の関連が同時に理解しにくい。
【課題を解決するための手段】
【０００６】  この発明は、英語および言語のストレス・アクセント（強勢）とイントネーション（音調）を安易に理解でき、イメージをつけやすくする表記方法である。単語のシラブル、文にも使用できることを特徴とする。
【発明の効果】
【０００７】  この表記方法を用いた例文を見ただけで、リズムとイントネーションのイメージが大変つきやすい。さらに、英語のストレス・アクセントの表記も丸印の大小及び、色分け表示を例文のアルファベットの上記に、表記しており、ストレス・アクセント（強勢）・イントネーション（音調）の関連が同時に理解しやすい。【０００８】  音源を聞きながら、この表記方法を用いた例文を読むと、なおいっそうイメージが膨らみ、ネイティブスピーカーの音調に近づける。
【発明を実施するための最良の形態】
【０００９】    以下、本発明の実施の形態を表に基づき詳細に説明する【００１０】  図１は、表記方法である。【００１１】  図１に示すように、▲１▼は、イントネーションの音の高低をあらわす整数目盛りである。低い方から高い方に向かって目盛りの数が多くなる、極端に低くなる場合は、負の整数になる。▲２▼は、単語の音節のストレスの強弱の表示である。●は、最も強いストレスを表記する。▲３▼は、イントネーションの音の高低をあらわす線である。
【図面の簡単な説明】
【００１２】
【図１】  本発明の斜体図である。
【符号の説明】
【００１３】  １  音の高さ（ピッチ）の目盛り
２  ストレスの表記
３  イントネーション（音調）曲線
【図１】
2008003529.tif 000007
(57)【要約】      （修正有）【課題】長い暗証番号（パスワード）を簡単に記憶できる記憶技術の提供。【解決手段】文字変換テーブルを用いることで、長い暗証番号（パスワード）も利用することができ、暗証番号をどうして作ったかは他人にはわからないものとなる。【選択図】図１
2008003528.tif 000002
【特許請求の範囲】
【請求項１】
パスデポ（図１）にあるように、左側（又は右側）ひらがな、アルファベット、数字、記号等一個に対して右側（又は左側）に数字をつけたものを、一対の暗号としてインターネット上にて用いる事。
【請求項２】
パスデポ（図１）をペーパーベースにして頒布することで、インターネットがなくとも自分の暗証番号（パスワード）を知ることができる。
【請求項３】
パスデポ（図１）と右と左を一対とするもので、同じ組み合わせのものをインターネットの場合は一画面に表示すること又はペーパーベースでは一枚の紙に表示すること。
【発明の詳細な説明】
【技術の分野】
【０００１】本発明は、長い暗証番号（パスワード）を簡単に記憶できる記憶技術に関する。
【背景技術】
【０００２】従来は暗証番号といえば生年月日、電話番号、番地など身近な番号を暗証番号（パスワード）として利用していた。
その為に暗証番号（パスワード）を安易に解読できるとされている。
【特許文献１】
【非特許文献１】
【発明の開示】
【発明が解決しようとする課題】
【０００３】以上に述べた従来の暗証番号（パスワード）は身近な番号を暗証番号（パスワード）として利用したために暗証番号を安易に解読されクレジット被害など暗証番号（パスワード）を必要とするものに不安を感じたものです。【０００４】本発明は長い暗証番号（パスワード）を意図も簡単に作り覚えることができるのです。
【課題を解決するための手段】
【０００５】そして、本発明はパスデポ（図１）にあるように、左側（又は右側）ひらがな、アルファベット、数字、記号等一個に対して右側（又は左側）に数字をつけたものを、一対の暗号として用いる事。【０００６】そのパスデポ（図１）インターネット上に公開してこのサイトをよく利用していただけることで利点が生まれる。【０００７】又パスデポ（図１）をペーパーベースにして頒布することで、インターネットがなくとも自分の暗証番号（パスワード）を知ることができる。【０００８】パスデポ（図１）と右と左を一対とするもので、同じ組み合わせのものをインターネットの場合は一画面に表示すること又はペーパーベースでは一枚の紙に表示すること。
【発明の効果】
【０００９】上述したように本発明のパスアドは、長い暗証番号（パスワード）でも簡単に作り覚えるることができるのです。【００１０】又暗証番号（パスワード）を覚える際に数字でなく言葉の記憶で数字を覚えることができるのです。
【図面の簡単な説明】
【００１１】
【図１】本発明はパスデポに記載のあるように、左側（又は右側）ひらがな、アルファベット、数字、記号等一個に対して右側（又は左側）に数字をつけたものを、一対の暗号として用いものです。
【図１】
2008003528.tif 000003